(57)【要約】【課題】  パチンコ・パチスロ等の遊技島において、遊技機装置を２〜３台一組の独立島システムユニットにする事で、設置島内の遊技機間に無駄なスペースを必要とせず、島内への設置が容易でどのようなフロアでも自由にレイアウトが出来、施工性・生産性・メンテナンス性・セキュリティー性を大巾に向上した 小型・軽量・低騒音を特徴とする遊技機装置を提供する。【解決手段】  ２〜３台の遊技機に、遊技媒体を循環再利用する研磨・揚送機能を設け、遊技機の背面上部に遊技に使用する遊技媒体を貯留・供給する補給タンクを配設し、背面下部に遊技の使用後に排出した遊技媒体を収容する回収タンクと遊技媒体を計数する計数部とを配設し、遊技機上部にカウント表示する表示部を具備する。本発明は従来の技術が有する様々な問題点に着目して新発想の元に発明された物で、ホールに設置される島形状に柔軟かつ容易に対応できる独立遊技機装置を提供する事を目的とする。【選択図】    図２
2008302056.tif 000002
【特許請求の範囲】
【請求項１】
並設した２〜３台の遊技機に、遊技に使用した遊技媒体を循環して再使用する共用の還元機構を設けた独立遊技機装置であって、前記還元機構は、並設した２〜３台の遊技機の背面に配設され、背面上部に遊技媒体を貯留し各遊技機に供給するための補給タンクと、背面下部に遊技機から排出された遊技媒体を収納するアウトタンクと、遊技媒体を回収する回収タンクと、遊技機と回収タンクとの間に配設される遊技媒体を計数する計数部と、遊技媒体を研磨する研磨部とを設け、前記補給タンクに遊技媒体を補給すべく研磨後に前記回収タンクに回収された遊技媒体を揚送する揚送部と、前記計数部にてカウントされた遊技媒体の数量を表示・出力する表示部とを具備することを特徴とする独立遊技機装置。
【請求項２】
背中合わせに配設した２〜３台の遊技機に、遊技に使用した遊技媒体を循環して使用する共用の還元機構であって、前記還元機構は、背中合わせに配設した２〜３台の遊技機の背面に配設され、背面上部に遊技媒体を貯留し各遊技機に供給するための補給タンクと、背面下部に遊技機から排出された遊技媒体を収納するアウトタンクと、遊技媒体を回収する回収タンクと、遊技機と回収タンクとの間に配設される遊技媒体を計数する計数部と、遊技媒体を研磨する研磨部とを設け、前記補給タンクに遊技媒体を補給すべく研磨後に前記回収タンクに回収された遊技媒体を揚送する揚送部と、前記計数部にてカウントされた遊技媒体の 数量を表示・出力する表示部とを具備することを特徴とする独立遊技機装置。
【請求項３】
前記遊技機装置は、従来の島にシステムユニットとして設置でき、島形状・島レイアウト等全てに対応可能な構造とし、遊技機から払出された遊技媒体収納箱を不要にすることを特徴とする請求項１または２に記載の独立遊技機装置。
【請求項４】
前記表示部は遊技機１台毎に設けたことを特徴とする請求項１または２に記載の独立遊技機装置。
【請求項５】
前記計数部は、遊技機から排出された入賞遊技媒体と、非入賞遊技媒体の両媒体を計数処理することが出来ることを特徴とする請求項１または２に記載の独立遊技機装置。
【請求項６】
前記表示部は遊技終了後、計数処理された遊技媒体数量を別途記録媒体に表示・記録され、同時にホールコンピューター等の制御・管理機器へも出力される機能を有することを特徴とする請求項１または２に記載の独立遊技機装置。
【請求項７】
前記記録媒体の発行時セキュリティー強化のため、発行者の履歴等が確認出来る機能と、あらかじめ登録されたＩＤもしくは指紋等を照合してから発行する機能を有することを特徴とする独立遊技機装置。
【請求項８】
前記遊技機装置内に貯留された記録媒体の数量が、定められた基準（上限・下限）を越えた場合に、警報を通信・表示する機能を有し、同遊技機装置内に遊技媒体の補給・回収が出来る構造をも有することを特徴とする独立遊技機装置。  
【発明の詳細な説明】
【技術分野】
【０００１】
本発明は、パチンコ・メダル遊技機島内に設置される遊技機装置に関するものである。
【背景技術】
【０００２】
従来の遊技機島としては、複数の遊技機が相対する様に設置され、図１に示すものが一般的である。また、遊技機装置の循環システムとしては、従来次の３種類がある。１つめは、遊技媒体の回収、研磨および補給等を遊技機島単位で行う完全島還元システム。２つめは、遊技媒体の回収、研磨および補給等をフロアー全島単位で行うフロアー全島還元システム。３つめは、遊技媒体の回収、研磨および補給等を遊技店全体で行う全店還元システム。これらのシステムにおいては、何れも遊技機島内部における遊技媒体の供給・回収装置は同一原理によるもので、ゲームで使用された遊技媒体を島下部に設置された回収通路によって回収後、研磨し、設置島中央部の上方に設けた補給タンクに揚送し、そこから補給通路で各遊技機および台間玉貸機・台間メダル貸機の上方まで搬送して供給していた。
【０００３】
従来この種の遊技機装置としては、例えば、特開平２−２５２４８１号に示すような完全島還元システムに設置された遊技機装置で、遊技媒体の回収、研磨及び補給等を遊技機島単位で還元するものがある。
【０００４】
【特許文献１】特開平２−２５２４８１号公報
【発明の開示】
【発明が解決しようとする課題】
【０００５】
しかしながら、このような従来の遊技機装置には、次の問題があった。遊技機島上部に遊技媒体を補給するための補給タンクを設けるスペースが必要であり、島下部には使用後の遊技媒体の回収通路及び貯留タンクのスペースが必要となって島全体が高くなるとともに、補給・回収・渡り通路等設備も大型化し、投下コストも莫大なものとなるという問題があった。
【０００６】
また、島下部はそのほとんどが回収通路及び貯留タンクとして必要とされ、そのためスペースの省略はほとんど出来ず、遊技者の膝が島腰板にあたり窮屈であるという問題もあった。
【０００７】
さらに、遊技島レイアウトも単に一列に並べるだけで店舗フロアーに合わせた自由な設置レイアウトが出来る状況ではなく、画一的になりやすいという問題があった。
【０００８】
本発明は、このような従来の問題点に着目してなされたもので、もっとも効率の良い、遊技媒体を２〜３台一組の遊技機で循環使用する遊技機装置であって、遊技島全体の空間利用率の向上と、遊技媒体を循環させるために必要な装置の小型・軽量・低騒音化を実現すること、および大小どのようなフロアーでも自由に設置でき、しかも１台で全ての機能が完結する遊技機装置を提供することを目的としている。
【課題を解決するための手段】
【０００９】
請求項１は、本発明の独立遊技機装置の基本形である。並設した２〜３台の遊技機（１、１）に、遊技に使用した遊技媒体を循環して再使用する共用の還元機構（２）を設けた独立遊技機装置（５０）であって、前記還元機構（２）は、前記並設した２〜３台の遊技機（１、１）の背面に配設し、遊技に使用する遊技媒体を貯留し、各遊技機（１、１）の遊技媒体上部供給ボックス（１ａ、１ａ)へ遊技媒体を補給するための上部タンク（３）と、前記並設した２〜３台の遊技機（１、１）の背面下部に配設し、遊技に使用され排出された遊技媒体を一時収容するアウトタンク（４、４）と、該アウトタンク（４、４）に排出された非入賞遊技媒体および各遊技機（１、１）の下皿から排出された入賞遊技媒体とを回収するための回収タンク（５）と、前記アウトタンク（４、４）と前記回収タンク（５）との間に設けた遊技媒体を計数するための計数部（６）と、同様に間に設けた遊技媒体を研磨するための研磨部（７）と、前記上部タンク（３）に遊技媒体を補給すべく研磨後に前記回収タンク（５）に回収された遊技媒体を揚送する揚送部（８）と、前記計数部（６）にてカウントされた遊技媒体の数量を表示・出力する表示部（９）とを具備することを特徴とする独立遊技機装置（５０）。
【００１０】
請求項２は、背中合わせに立設した２〜３台の遊技機（１ｂ、１ｂ）に、遊技に使用した遊技媒体を循環して再使用する共用の還元機構（２）を設けた独立遊技機装置（５０）であって、前記還元機構（２）は、前記背中合わせに立設した２〜３台の遊技機（１ｂ、１ｂ）の背面に配設し、遊技に使用する遊技媒体を貯留し、各遊技機（１ｂ、１ｂ）の遊技媒体上部供給ボックス（１ａ、１ａ)へ遊技媒体を補給するための上部タンク（３）と、前記背中合わせに立設した２〜３台の遊技機（１ｂ、１ｂ）の背面下部に配設し、遊技に使用され排出された遊技媒体を一時収容するアウトタンク（４、４）と、該アウトタンク（４、４）に排出された非入賞遊技媒体および各遊技機（１ｂ、１ｂ）の下皿から排出された入賞遊技媒体とを回収するための回収タンク（５）と、前記アウトタンク（４、４）と前記回収タンク（５）との間に設けた遊技媒体を計数するための計数部（６）と、同様に間に設けた遊技媒体を研磨するための研磨部（７）と、前記上部タンク（３）に遊技媒体を補給すべく研磨後に前記回収タンク（５）に回収された遊技媒体を揚送する揚送部（８）と、前記計数部（６）にてカウントされた遊技媒体の数量を表示・出力する表示部（９）とを具備することを特徴とする独立遊技機装置（５０）。
【００１１】
これにより、全ての遊技媒体は他の台に移動することなく装置内で循環することができるため、遊技機を設置する遊技島のスペース効率が大幅に改善され、従来のような大掛かりな補給機装置の循環システムが不要となる。
【００１２】
請求項３は、本遊技機装置は、従来のすべての島にシステムユニットとして設置でき、島形状・島レイアウト等全てに対応可能な構造とすることを特徴とする請求項１または２に記載の独立遊技機装置（５０）。
【００１３】
これにより、全ての遊技島形状（Ｌ型島、Ｒ型島等）に対応することが可能となり矩形フロアーから従来レイアウト困難とされてきた変形フロアーまで自由に島レイアウトができ、遊技店全体でのスペース効率が大幅に改善され、かつ、遊技島設置工事の大幅な短縮と標準化、ローコスト化が実現できる。
【００１４】
請求項４は、前記表示部（９）は遊技機（１、１、１ｂ、１ｂ）の各々に設けたことを特徴とする請求項１または２に記載の独立遊技機装置（５０）。
【００１５】
請求項５は、前記計数部（６）は、遊技機（１、１、１ｂ、１ｂ）から排出された入賞遊技媒体と、非入賞遊技媒体の両媒体を計数処理することが出来ることを特徴とする請求項１または２に記載の独立遊技機装置（５０）。
【００１６】
請求項６は、前記表示部（６）は遊技終了後、計数処理された遊技媒体数量を別途記録媒体（１０）に表示・記録され、同時にホールコンピューター等の制御・管理機器へも出力される機能を有することを特徴とする請求項１または２に記載の独立遊技機装置（５０）。
【００１７】
これにより、遊技客に遊技媒体の全量払出しを行わず遊技の終了時に遊技者の保有する遊技媒体数量を記録媒体に記録して発行することができ、遊技機島全体で必要とする遊技媒体の量を大幅に減少することが出来る。
【００１８】
請求項７は、前記記録媒体（１０）の発行時セキュリティー強化のため、発行者の履歴等が確認出来る機能と、あらかじめ登録されたＩＤもしくは指紋等を照合してから発行する機能を有することを特徴とする独立遊技機装置（５０）。
【００１９】
これにより、遊技客への記録媒体（１０）発行時のセキュリティーが大幅に向上し、従業員および遊技客の不正を撲滅することが可能となる。
【００２０】
請求項８は、前記記録媒体（１０）の装置内貯留数量が、あらかじめ設定された数量を上回るまたは下回った場合に表示部（６）にて警報・表示し、かつ本独立遊技機装置（５０）内に遊技媒体を補給および回収出来る機構を搭載することを特徴とする独立遊技機装置（５０）。これにより、遊技客が記録媒体（１０）を本遊技機装置（５０）内に持ち込みまたは持ち出した場合には、速やかに遊技媒体の補給および回収が出来るため稼働率が大幅に向上し、遊技客が安心して遊技することが可能となる。
【発明の効果】
【００２１】
本発明にかかる独立遊技機装置によれば、２〜３台の遊技機を一組として、一組で一つの遊技媒体の還元機構を使用するので、遊技機島全体で無駄なスペースを必要とせず空間利用効率を向上させ、施工性・生産性・メンテナンス性・セキュリティー性を大巾に向上した小型・軽量・低騒音を特徴とする装置の小規模化および還元システムの低価格化を実現することが出来る。
【発明を実施するための最良の形態】
【００２２】
以下、本発明を図示実施例に従って詳述する。図１は、代表的な従来の遊技機装置の島還元循環システムの実施図である。遊技機島上部に島全体の遊技媒体を補給するための補給タンク（６１）を設け、各遊技機へ案内補給する補給通路（６２）、島下部には使用後の遊技媒体の回収通路（６３）および島内貯留タンク（６４）、遊技媒体を研磨するための研磨・揚送機（６５）、島上部の補給タンクを連結する渡り通路（６６）等各循環装置も大型・高機能化している。
【００２３】
図２から図４は、本発明の一の実施例の形態を示している。図示した遊技機（１）は、遊技媒体としてパチンコ球を用いて、ハンドルの操作によって遊技機盤面にパチンコ球を打ち出して入賞口に入賞させて楽しむパチンコ機である。
【００２４】
図２は本独立遊技機装置（５０）の背面図であり、図３は本独立遊技機装置（５０）の正面図、図４、図５及び図６は本独立遊技機装置（５０）を設置した遊技島の平面図（構成図）である。
【００２５】
図２に示し、図４に略示したように、本独立遊技機装置（５０）は並設した２〜３台のパチンコ機（１、１）と、それらの背面側に２〜３台のパチンコ機（１、１）で共用してパチンコ球を循環させるための還元機構（２）を設けている。
【００２６】
還元機構（２）は２〜３台のパチンコ機（１、１）で遊技に使用されたパチンコ球を循環して再使用するためのものであって、パチンコ機（１、１）の背面上部に配設したパチンコ球の上部タンク（３）とパチンコ機（１、１）の背面下部に配設したアウトタンク（４）と、アウトタンク（４）よりも下位に配設した回収タンク（５）と、アウトタンク（４）と回収タンク（５）との間に設けた遊技媒体を計数するための計数部（６）と、同様に間に設けたパチンコ球を研磨するためのパチンコ球の研磨部（７）と、研磨後に回収タンク（５）に回収されたパチンコ球を上部タンク（３）に補給すべく揚送する揚送部（８）とを具備している。
【００２７】
上部タンク（３）は、遊技に使用するためのパチンコ球を貯留するためのタンクであり、パチンコ球を流下させて補給する上部球通路（１１）から玉切り装置（１２）を介してパチンコ機（１）の遊技媒体上部供給ボックス（１ａ）に接続されている。（１３）は上部タンク（３）に設置されたオーバーフロー検出用のスイッチである。
【００２８】
パチンコ玉貸機（４０）は、パチンコ機（１）の側方に設置されており、現金投入口、磁気媒体挿入口、各種スイッチ等とで構成されている。 
【００２９】
パチンコ機（１）の背面下部に設置したアウトタンク（４）は、遊技機（１）から排出された非入賞パチンコ球を一時貯留するものである。
【００３０】
アウトタンク（４）の下方には回収タンク（５）が設置されており、両者の間は球通路（１４）によって連結されている。アウトタンク（４）と回収タンク（５）の間に設けられたパチンコ球の計数部（６）はこの球通路（１４）上に設置されており、球通路内を通過する、アウトタンク（４）から排出された非入賞パチンコ球と、パチンコ機（１）前面の入賞球受皿（１５）から排出されたパチンコ球の両方をすべてカウントする計数カウンター（図示せず）が内蔵されている。
【００３１】
計数部（６）の下方にはパチンコ球を研磨する研磨部（７）が配設されている。     計数部（６）を流下したパチンコ球は螺旋溝で案内しながら研磨部材でパチンコ球を磨いて表面の汚れを除去する構造になっており、研磨部材はワンタッチにて交換可能な形状となっている。
【００３２】
研磨部（７）と回収タンク（５）は直結されており、研磨部（７）を通過したパチンコ球は直接回収タンク（５）に収納される構造となっている。
【００３３】
回収タンク（５）の底面中央には、パチンコ球を揚送するための揚送部（８）が立設されている。揚送部（８）はプロヒィール付きの無端ベルトにてパチンコ球を揚送する構造である。
【００３４】
揚送部（８）の上部には揚送されたパチンコ球を２〜３台のパチンコ機（１）に分配して貯留するための上部タンク（３）が設置されている。上部タンク（３）の底面は中心を境にして各パチンコ機（１）側に下向しているので、上部タンク（３）内のパチンコ球は自然に振り分けられる構造である。
【００３５】
表示部（９）は、本遊技機装置全体の制御を司るものであり、例えば、計数部（６）の計数カウンタの出力と既に表示されている残数とを加算して表示部（９）に表示し直したり、パチンコ機（１）前面の入賞球受皿（１５）から排出されたパチンコ球を加算して表示したり、パチンコ機（１）前面の貯留上皿（１６）に払い出したパチンコ球の玉数を表示数量から差し引いて表示部（９）に表示したり、記録媒体（１０）の記録を読み取ったり、ゲーム終了時に残玉の数量を記録媒体（１０）に書き込んで発行する機能も搭載している。また、装置内遊技媒体（１０）数量の監視による上限・下限の表示機能も搭載している。
【００３６】
なお記録媒体（１０）発行の際、発行履歴すなわち発行数量・時間等を記録に残し、かつ発行者のＩＤ、指紋照合等による二重のセキュリティー機能をも兼ね備えたものである。
【００３７】
次に、本遊技機装置の作用について説明する。
【００３８】
パチンコ機（１）によるプレーを開始するには、記録媒体（１０）を挿入口（２０）に挿入するか、紙幣を紙幣投入口（２１）から投入すると、記録媒体（１０）に記録された金額または投入紙幣金額が表示され、パチンコ機（１）前面の金額設定ボタン（２２）によって設定に見合ったパチンコ球が貸し玉としてパチンコ機（１）前面の貯留上皿（１６）に払い出される。この場合、前記表示数値より少ない数値を自由に選ぶことが出来、残数は貸し玉数を差し引いた形で記録媒体（１０）に記録されることになる。
【００３９】
パチンコ玉が貸し出され、パチンコ機（１）の右下隅に設けられたハンドル（２３）を回すとパチンコ玉は自動的にパチンコ機（１）の遊技盤面（２４）上に弾き出され、遊技盤面（２４）上に打設された多数の釘に衝突しつつ落下し、その大半はアウトホール（２５）内に消え、パチンコ機下部貯留ボックス（２６）に流入する。打ち出されたパチンコ球の内の小数が、入賞口（２７）と呼ばれるホールに入り、その入賞したパチンコ球１個につき所定のパチンコ球が賞球としてパチンコ機（１）の上部供給ボックス（１ａ）からパチンコ機（１）前面の貯留上皿（１６）に供給される。入賞口に入るパチンコ球が多いと当然貯留上皿（１６）にパチンコ球は多くなり、ついには貯留上皿（１６）から溢れそうになる。
【００４０】
貯留上皿（１６）に貯まったパチンコ球の数が所定の許容数を越えた状態になると、以後、貯留上皿（１６）に貯まったパチンコ球が所定の許容数を下回るまで、パチンコ球の入賞に対しての賞球の払い出しはパチンコ機（１）前面下部に設けられた入賞球受皿（１５）に自動的に払い出される。賞球として払い出されるパチンコ球の数よりも 遊技盤面（２４）上に弾き出されるパチンコ球の方が上回り、貯留上皿（１６）に貯まったパチンコ球の数が所定の許容数を下回ると再び入賞があった時は、貯留上皿（１６）に賞球が払い出される。 貯留上皿（１６）に貯まっているパチンコ球が所定の許容数を下回っているときは、許容数を上回らない限りにおいて金額設定ボタン（２２）の操作によって１回の操作につき定められた数のパチンコ球が遊技者の保有球数から引き出される。この時、引き出されたパチンコ球の数が前記表示部（９）に表示された保有球数から減じられる。 
【００４１】
パチンコ球が入賞口に入り続け、上下の貯留上皿（１６）、入賞球受皿（１５）にパチンコ球が溢れそうになると、入賞球受皿（１５）に設置されている操作レバー（図示せず）を操作して入賞球受皿（１５）内パチンコ球の全部或いは一部を玉通路（１４）に流入させる。玉通路（１４）内に流入したパチンコ球は玉通路内に設置された計数部（６）を通過し、計数カウンター（図示せず）でカウントされ、そのカウント数値は表示部（９）に送られ、遊技者の保有球数に累積加算・表示される。
【００４２】
入賞口を通過したパチンコ球や、何れの入賞口にも入らず遊技盤面（２４）に設けられたアウトホール（２５）を通過したパチンコ球は全てパチンコ機下部貯留ボックス（２６）に流入・収容される。
【００４３】
一旦、下部貯留ボックス（２６）に収容されたパチンコ球は計数されアウトタンク（４）に流下する。アウトタンク（４）に流下したパチンコ球は玉通路（１４）を通過し、球通路内に設けられたパチンコ球の計数部（６）にて前記入賞球受皿（１５）から流入されたパチンコ球と同様に計数カウンター（図示せず）にてカウントされ、そのカウント数値は表示部（９）に送られ、処理される。計数部（６）を通過したパチンコ球は研磨部（７）によって表面の汚れを研磨・除去され、直結された回収タンク（５）に収納される。２〜３台のパチンコ機（１）から排出されたパチンコ球は全て回収タンク（５）内で合流する。回収タンク（５）形状は傾斜底板によってパチンコ球が自然に中央部に集まる構造となっている。
【００４４】
回収タンク（５）で合流した研磨済みのパチンコ球は、回収タンク（５）の底部に設置された揚送部（８）の取込み口（図示せず）から取り込まれ、順次揚送される。揚送されたパチンコ球は、上部タンク（３）底部の形状に導かれ２〜３台のパチンコ機（１）へ自然に振り分けられる。上部タンク（３）内で振り分けられたパチンコ球は、上部タンク（３）から上部玉通路（１１）と玉切り装置（１２）を経てパチンコ機（１）上部供給ボックス（１ａ）に貯留される。  
【００４５】
上部タンク（３）に貯留されたパチンコ球は、パチンコ機（１）でプレーが行われ、上部供給ボックス（１ａ）内のパチンコ球が使用されて一定量を下回ると上部供給ボックス（１ａ）に補給される。その際、玉切り装置（１２）によって補給数が計数される。この玉切り装置（１２）の計数と、前述のアウトタンク（４）から流下されるパチンコ球の計数と、前述の入賞球受皿（１５）から流下されるパチンコ球の計数とにより、各パチンコ機（１）内で貯留・使用されているパチンコ球の数が算出される。
【００４６】
このように、並設した２〜３台のパチンコ機（１、１）で使用されるパチンコ球は２〜３台のパチンコ機（１、１）で共用する一つの還元機構（２）によって循環されながら再利用される。
【００４７】
前述のように、遊技客はプレー中にいつでもプレーを切り上げることが出来るし、貯留上皿（１６）のパチンコ球が減少してくると自分の保有球からパチンコ球を取り出すことが出来る。
【００４８】
遊技客がプレーを切り上げる場合（保有球がある場合）は、記録媒体発行ボタンを押下すると、表示部（９）内蔵の記録媒体（１０）に計数・処理・記憶された残数が書き込まれ発行される。この記録媒体（１０）を保持している限り繰り返しプレーすることが出来るものであり、遊技客はいっさいパチンコ球を持ち運びする必要がなく非常に便利になる。また、遊技客に遊技媒体の払い出しを全く行わずプレーの終了時に遊技者の保有する遊技媒体の保有球数を記録媒体（１０）に記録して発行する循環システムとすれば、遊技機装置全体で必要とする遊技媒体の搭載量を大幅に減少させることができるので、遊技媒体を処理・循環使用するための装置はより一層の小型・軽量化を図ることができる。
【００４９】
このように独立遊技機装置（５０）は、遊技媒体を処理・循環使用するための従来の大掛かりな補給機器を不要とし、設置する遊技機島の無駄なスペースを排除し効率良くレイアウトすることが出来る。さらに、本遊技機装置（５０）は現在稼働中の全店舗の遊技機島にシステムの変更無しにそのまま設置が可能である。
【図面の簡単な説明】
【００５０】
【図１】従来の遊戯機補給システムを表した平面図（構成図）である。
【図２】この発明の一実施形態を示す遊技機装置の背面図である。
【図３】この発明の一実施形態を示す遊技機装置の正面図である。
【図４】この発明の一実施形態を示す遊技島の平面図（構成図）である。
【図５】この発明の一実施形態を示す遊技島の平面図（構成図）である。
【図６】この発明の一実施形態を示す遊技島の平面図（構成図）である。
【符号の説明】
【００５１】
（１）  …  遊技機
（１ｂ）…  遊技機
（５０）…  独立遊技機装置
【図１】
2008302056.tif 000003
【図２】
2008302056.tif 000004
【図３】
2008302056.tif 000005
【図４】
2008302056.tif 000006
【図５】
2008302056.tif 000007
【図６】
2008302056.tif 000008